(57)【要約】【課題】  水洗器具で使用した洗浄水を汚水浄化手段で浄化後、新たな洗浄水として再利用可能な水洗器具ユニットを備えたユニットハウスにおいて、使用部品を共通化して係るコストを低減し、需要者の要望に応じた形状で、需要者に容易かつ安価に供給することのできるユニットハウスを提供する。【解決手段】  水洗器具（便器２０）で使用した洗浄水を汚水浄化手段（汚水浄化部３０）で浄化後、新たな洗浄水として再利用可能な水洗器具ユニット（循環式水洗トイレユニット２）を備えたユニットハウス（トイレハウス１００）であって、前記水洗器具を収容する第一のユニット（アッパーユニット３１）と、前記汚水浄化手段を収容する第二のユニット（ロアーユニット４１）とを具備し、前記第一のユニットと前記第二のユニットとを合体することにより前記水洗器具ユニットを機能させる。【選択図】  図２
2005248548.tif 000002
【特許請求の範囲】
【請求項１】
水洗器具で使用した洗浄水を汚水浄化手段で浄化後、新たな洗浄水として再利用可能な水洗器具ユニットを備えたユニットハウスであって、
前記水洗器具を収容する第一のユニットと、
前記汚水浄化手段を収容する第二のユニットとを具備し、
前記第一のユニットと前記第二のユニットとを合体することにより前記水洗器具ユニットを機能させることを特徴とするユニットハウス。
【請求項２】
前記第一のユニットは、天井部材と、床部材と、柱部材とを備え、
前記天井部材および前記床部材の水平方向の寸法を変更することにより該第一のユニットの水平方向の寸法を変更することを特徴とする請求項１に記載されたユニットハウス。
【請求項３】
前記第二のユニットは、土台部材を備え、
前記天井部材および前記床部材の大きさの変更に合わせて、前記土台部材の水平方向の寸法を変更することにより、該第二のユニットの水平方向の寸法を変更することを特徴とする請求項２に記載されたユニットハウス。
【請求項４】
前記第一のユニットは、少なくとも前記天井部材と前記床部材とに係止する外壁部材をさらに備えることを特徴とする請求項２または請求項３に記載されたユニットハウス。
【請求項５】
前記第一のユニットは、該第一のユニット内の間仕切りとして機能する内壁部材をさらに備え、
前記内壁部材は、前記天井部材と前記床部材とに係止すると共に、前記天井部材から前記床部材を吊り上げる部材として機能することを特徴とする請求項２乃至請求項４のいずれかに記載されたユニットハウス。
【発明の詳細な説明】
【技術分野】
【０００１】
本発明は、組立ておよび解体が繰り返し可能なユニットハウスにおいて、使用済みの洗浄水を浄化すると共に循環させ、新たな洗浄水として再利用可能な水洗器具ユニットを備えたユニットハウスに関する。
【背景技術】
【０００２】
工事現場や屋外イベント会場等の給排水設備のない場所においては、洗浄水として使用済みの水を浄化し、新たな洗浄水として再利用する循環式水洗トイレの需要がある。この循環式水洗トイレについては、例えば、特許文献１に記載されている。
【０００３】
特許文献１に開示される循環式水洗トイレの概要を図１２に基づいて説明する。尚、図１２は概略断面図である。図１２に示すハウジング５１内において、便器５２内の汚物（図示せず）は、ロータンク５３から供給される洗浄水によって浄化槽５４に流される。浄化槽５４においては、汚水である洗浄水が浄化され、浄化された洗浄水はポンプ５５によってロータンク５２に再び貯水されるようになされている。このような循環式水洗トイレにあっては、水道水を使用せずとも水道水を直接流す方式の水洗トイレと同様の使い勝手と清潔感が得られ、また、断水時でも使用できるというメリットがある。
【０００４】
なお、前記特許文献１に示される循環式水洗トイレは、一人用の循環式水洗トイレが開示されたものであるが、多人数の同時使用にも対応する大型の循環式水洗トイレについては、特許文献２に記載されている。
【特許文献１】特開２０００−２２６８７３号公報
【特許文献２】特開２００１−１４９９９６号公報
【発明の開示】
【発明が解決しようとする課題】
【０００５】
前記したように、工事現場や屋外イベント会場等においては、循環式水洗トイレの需要があり、特に設置が容易なユニットハウス型（以下、トイレハウスと呼ぶ）が好まれている。トイレハウスを設置する需要者にとっては、トイレハウスの供給者に対し、利用者の使用頻度を考慮して一人用あるいは複数人用のトイレハウスが選択でき、所望の期間に確実に、かつ安価に提供して欲しいという要望があった。
【０００６】
特許文献１に示される循環式水洗トイレにあっては、前記したように一人用のトイレハウスが開示されたものであるが、複数人用への対応については示されていない。また、需要者に対して安価に提供する手段についても何ら開示されていない。
一方、複数人の同時使用に対応する大型の循環式水洗トイレについては、前記したように特許文献２に示されているが、需要者に対して安価にトイレハウスを提供する手段については何ら開示されていない。
【０００７】
本発明は、前記したような事情の下になされたものであり、水洗器具で使用した洗浄水を汚水浄化手段で浄化後、新たな洗浄水として再利用可能な水洗器具ユニットを備えたユニットハウスにおいて、使用部品を共通化して係るコストを低減し、需要者の要望に応じた形状で、需要者に容易かつ安価に供給することのできるユニットハウスを提供することを目的とする。
【課題を解決するための手段】
【０００８】
前記した課題を解決するために、本発明にかかるユニットハウスは、水洗器具で使用した洗浄水を汚水浄化手段で浄化後、新たな洗浄水として再利用可能な水洗器具ユニットを備えたユニットハウスであって、前記水洗器具を収容する第一のユニットと、前記汚水浄化手段を収容する第二のユニットとを具備し、前記第一のユニットと前記第二のユニットとを合体することにより前記水洗器具ユニットを機能させることに特徴を有する。
このように、ユニットハウスが第一のユニットと第二のユニットで構成されるため、各ユニット単位で製造し、在庫管理することができる。このため、組立て時においては、第一のユニットと第二のユニットとを合体させ、必要な配管処理等を行うのみでよく、その製造日数の短縮を図ることができる。また、故障が生じた場合等には、故障が生じたユニットを交換することで迅速に対応することができる。
【０００９】
また、前記第一のユニットは、天井部材と、床部材と、柱部材とを備え、前記天井部材および前記床部材の水平方向の寸法を変更することにより該第一のユニットの水平方向の寸法を変更することが望ましい。
また、前記第二のユニットは、土台部材を備え、前記天井部材および前記床部材の大きさの変更に合わせて、前記土台部材の水平方向の寸法を変更することにより、該第二のユニットの水平方向の寸法を変更することが好ましい。
また、前記第一のユニットは、少なくとも前記天井部材と前記床部材とに係止する外壁部材をさらに備えることが好ましい。
このように、各ユニットを、夫々複数の部材で構成し、柱部材、外壁部材、水洗器具等は共用化することにより、一部の部材の交換のみで容易にユニットハウスのサイズあるいはレイアウトの変更が可能である。すなわち、一人用のユニットハウス、あるいは複数人用のユニットハウスの組立てを場合に応じて容易に行うことができる。さらに、部材の共用化により製造コスト、部品点数、設計工数を夫々低減することができるため、需要者にも安価にユニットハウスを提供することができる。
【００１０】
また、前記第一のユニットは、該第一のユニット内の間仕切りとして機能する内壁部材をさらに備え、前記内壁部材は、前記天井部材と前記床部材とに係止すると共に、前記天井部材から前記床部材を吊り上げる部材として機能することが望ましい。
このように、内壁部材により床部材を吊り上げる構造とすれば、前記第一のユニットの構造を簡素化することができ、係止に係る部材点数を低減することができる。また、床を吊り上げる構造とすることで床下の柱を省くことができ、部材点数を低減することができると共に、床下に広くスペースを確保することができる。
また、前記外壁部材および内壁部材の外観仕様を選択することにより、内外装を容易に変更することができ、需要者の要望に柔軟に対応することができる。
【発明の効果】
【００１１】
本発明によれば、水洗器具で使用した洗浄水を汚水浄化手段で浄化後、新たな洗浄水として再利用可能な水洗器具ユニットを備えたユニットハウスにおいて、使用部品を共通化して係るコストを低減し、需要者の要望に応じた形状で、需要者に容易かつ安価に供給することのできるユニットハウスを提供することができる。
【発明を実施するための最良の形態】
【００１２】
以下、本発明にかかる実施の形態につき図に基づいて説明する。先ず、図１乃至図３に基づき、本発明に係るユニットハウスの構成について説明する。図１は、本発明に係るユニットハウスとしてのトイレハウスの側面図、図２は図１のトイレハウスの正面図、図３は図１のトイレハウスの平面図である。
【００１３】
図１乃至図３に示すトイレハウス１００は、ハウジング１内に水洗器具ユニットとしての循環式トイレユニット２を具備している。
循環式トイレユニット２は、便器（水洗器具）２０と、便器２０に流す洗浄水を貯水するロータンク３と、使用済みの洗浄水を浄化処理する汚水浄化部（汚水浄化手段）３０とを備えている。
また、前記汚水浄化部３０は、便器２０からの汚物と洗浄水を排水管２３を介して受け取る入水槽５と、入水槽５で浄化のために酸化促進された循環水を貯水する揚水槽６とを有する。さらに、汚水浄化部３０は、ポンピング手段（図示せず）により揚水槽６から汲み上げられた循環水から浮遊物を夫々分離する分離槽７および沈殿槽８と、浄化された洗浄水を貯水する送水槽９とを有している。
【００１４】
また、前記ロータンク３には、汚水浄化部３０において浄化処理された洗浄水が給水管１０を介して供給され、さらにロータンク３に貯水されている洗浄水は、必要時に給水管４を介して便器２０に供給されるようになされている。
【００１５】
次に、循環式トイレユニット２の動作について説明する。先ず、便器２０の汚物はロータンク３から供給される洗浄水により入水槽５に流される。この入水槽５においては、汚水である洗浄水が流動攪拌しながら微生物等の作用により酸化を始めるようになされる。すなわち、汚水である洗浄水は、酸化作用により殺菌され、悪臭成分が分解される。そして揚水槽６においては、大きな異物が取り除かれ、ポンプ１２により分離槽７に揚水される。分離槽７においては、洗浄水中の浮遊物が回転分離され、拡散した状態の浮遊物が凝集して沈殿する。さらに、沈殿槽８においても同様に浮遊物が回転分離され、洗浄水がさらに浄化処理される。このようにして浄化された洗浄水は、送水槽９に貯水され、さらにロータンク３に供給される。
【００１６】
続いて、トイレハウス１００の組立て工程について説明する。図４（ａ）に示す完成状態のトイレハウス１００は、図４（ｂ）に示すように、第一のユニットとしてのアッパーユニット３１と第二のユニットとしてのロアーユニット４１とが合体して形成される。アッパーユニット３１には、前記便器２０やロータンク３等が収容され、ロアーユニット４１には、分離槽７、沈殿槽８、送水槽９等を有する汚水浄化部３０が収容されている。
【００１７】
先ず、アッパーユニット３１の組立て工程について説明する。アッパーユニット３１においては、図５に示すように、先ず、天井フレーム（天井部材）３２と、床フレーム（床部材）３３と、柱部材３４とが一体に組み立てられる。次いで図６に示す外壁フレーム（外壁部材）３５、ドアフレーム３６、内壁フレーム（内壁部材）３８が夫々、天井フレーム３２、床フレーム３３および柱部材３４に係止されるようになされる。また、ドア部材３７はドアフレーム３６に係止される。なお、外壁フレーム３５は、横幅の異なるものが幾種か用意される。すなわち、天井フレーム３２および床フレーム３３の横幅寸法に合わせ、複数の外壁フレーム３５が組み合わされて使用される。
また、前記内壁フレーム３８は、例えば図６の破線に示す枠位置、すなわち天井フレーム３２の横架材３２ａと床フレーム３３の高床部３３ａに係止され設置される。
【００１８】
なお、外壁フレーム３５と柱部材３４との係止においては、図７（ａ）の一部拡大された平面図に示すように、外壁フレーム３５の側端部３５ａが柱部材３４の側面に面接触するように形成されており、その接触部位において双方が金具等で固定される。
また、外壁フレーム３５と天井フレーム３２および床フレーム３３との係止においては、図７（ｂ）の一部拡大された側面図に示すように、外壁フレーム３５の下端部３５ｂが床フレーム３３に引っ掛けられ、その状態で外壁フレーム３５の上端部３５ｃが天井フレーム３２に金具４５等で固定される。
【００１９】
また、図示しないが、内壁フレーム３８と床フレーム３３および天井フレーム３３との係止においても、内壁フレーム３８の下端部が高床部３３ａに引っ掛けられ、その状態で内壁フレーム３８の上端が天井フレーム３２の横架材３２ａに金具等で固定されるようになされる。
すなわち、内壁フレーム３８により高床部３３ａを引っ掛け、吊り上げる構造とすることで、構造を簡素化し、係止に係る部材点数を低減するようになされている。また、床を吊り上げる構造とすることで床下の柱を省くことができる。その結果、部材点数を低減できると共に、床下に広くスペースを確保でき、そのスペースに入水槽５や揚水槽６を自由に配置することができる。
【００２０】
なお、図７（ａ）、（ｂ）に二点鎖線で示すように、係止された状態の外壁パネル３５には、パネル材３９が貼られ、その外観部を形成するようになされている。すなわち、パネル材３９が貼られた状態のアッパーユニット３１の外壁は、図８のように形成される。また、天井部材３２には、屋根板４０が貼られることにより、図８に示すように屋根の外観が形成される。なお、トイレハウス１００の利用形態（需要者の要望）に合わせ、パネル材３９に代えて、例えば図９（ａ）に示すようなレンガ風のパネル材２５を用いてもよい。あるいはパネル材３９および屋根板４０に代えて、図９（ｂ）に示すような木材風のパネル材２６および切妻風の屋根板２７を用いてもよい。
また、前記したように外壁フレーム３５とパネル材３９は別体として用意し、組立て時にフレームに対しパネル材３９を貼ってもよいが、予め外壁フレーム３５にパネル材３９を貼ったものを在庫しておき、組立て時にそれを用いるようにしてもよい。
【００２１】
また、内壁フレーム３８および高床部３３ａ等にはパネル材（図示せず）が貼られ、トイレハウス１００室内における内観部が形成される。このようにハウジング１としての形状が略完成されると、その室内には、便器２０、ロータンク３、給水管４、排水管２３等のトイレユニットに係る部材や、電気系統の部材および配線等が取り付けられ、アッパーユニット３１が形成される。
【００２２】
続いて、ロアーユニット４１の組立て工程について説明する。図１０に示すように、ロアーユニット４１においては、入水槽５や揚水槽６等が収容される土台部４２に、フレーム４３によって枠組みされた分離槽７、沈殿槽８、送水槽９が設置される。そして、各処理槽の配管や電気系統の部材および配線等が取り付けられ、汚染処理部３０が構成されて、ロアーユニット４１が形成される。
以上のように夫々組み立てられたアッパーユニット３１およびロアーユニット４１は、図４（ｂ）に示したように合体され、水路の配管および電気系統の配線等が行われ、循環式トイレユニット２が機能するトイレハウス１００として完成する。
【００２３】
なお、前記実施の形態においては、一人用のトイレハウス１００を図示して説明したが、複数人用のものについても本発明のトイレハウスを適用することができる。例えば、２人用のトイレハウスを組み立てる場合には、天井部材３２、床部材３３、土台部４２の夫々に換えて、図１１に示すような、水平方向の寸法がより幅広の天井部材２８、床部材２９、土台部４４を用いることができる。
すなわち、アッパーユニット３１におけるハウジング１の構成部材のうち、その他の部材である柱部材３４、外壁フレーム３５、ドアフレーム３６、ドア３７、内壁フレーム３８等は共用することができる。また、循環トイレユニット２の構成部材においても、便器２０、ロータンク３、分離槽７、沈殿槽８、送水槽９等は共用することができる。なお、土台部４２は、前記したように、より幅広に形成されるため、入水槽５、揚水槽６は大型化され、複数の便器からの汚水の処理に対応できるようになされている。
【００２４】
以上説明した一実施の形態によれば、トイレハウス１００がアッパーユニット３１とロアーユニット４１の２つのユニットで構成されるため、各ユニット単位で製造し、在庫管理することができる。このため、組立て時においては、アッパーユニット３１とロアーユニット４１とを合体させ、必要な配管処理等を行うのみでよく、その製造日数の短縮を図ることができる。また、故障が生じた場合等には、故障が生じたユニットを交換することで迅速に対応することができる。
【００２５】
また、各ユニットは、夫々組立ておよび解体が容易な複数の部材で構成されており、部材を共用化することにより、一部の部材の交換のみで容易にトイレハウスのサイズあるいはレイアウトの変更が可能である。すなわち、一人用のトイレハウス、あるいは複数人用のトイレハウスの組立てを場合に応じて容易に行うことができる。さらに、部材の共用化により製造コスト、部品点数、設計工数を夫々低減することができるため、需要者にも安価にトイレハウスを提供することができる。
【００２６】
また、共通のベースフレームで、内外壁のパネル材を選択することにより、内外装を容易に変更することができ、需要者の要望に柔軟に対応することができる。
また、内壁フレーム３８により床フレーム３３を吊り上げる構成であるため、構造を簡素化し、係止に係る部材点数を低減することができる。また、床を吊り上げる構造とすることで床下の柱を省くことができる。その結果、部材点数を低減できると共に、床下に広くスペースを確保でき、そのスペースに入水槽５や揚水槽６を自由に配置することができる。
【００２７】
なお、前記実施の形態に示した汚水浄化部３０の構成は、汚水を浄化し循環させる構成の一例であって、これに限らず汚水を浄化し循環させる構成であれば他の構成であってもよい。
また、前記実施の形態においては、便器２０の形状は、和式便器の形状としたが、洋式便器の形状であってもよい。また、本発明のユニットハウスに係る水洗器具は便器に限らず、蛇口を有する洗面台あるいは手洗い器具等であってもよい。
【産業上の利用可能性】
【００２８】
本発明は、水洗器具で使用した洗浄水を汚水浄化手段で浄化後、新たな洗浄水として再利用可能な水洗器具ユニットを備えたユニットハウスにおいて好適に用いることができる。
【図面の簡単な説明】
【００２９】
【図１】図１は、本発明に係るユニットハウスとしてのトイレハウスの側面図である。
【図２】図２は、図１のトイレハウスの正面図である。
【図３】図３は、図１のトイレハウスの平面図である。
【図４】図４は、図１のトイレハウスの完成図および、トイレハウスを構成する２つのユニットを示す図である。
【図５】図５は、アッパーユニットを構成する部材の構成図である。
【図６】図６は、アッパーユニットを構成する部材の構成図であって、図５の部材の他に、他の部材を加えた図である。
【図７】図７は、図６に示した部材の係止状態を示す図である。
【図８】図８は、アッパーユニットの完成図である。
【図９】図９は、異なるパネル材および屋根板を示す図である。
【図１０】図１０は、ロアーユニットの構成部材を示す図である。
【図１１】図１１は、複数人用のトイレユニットに用いる部材を示す図である。
【図１２】図１２は、従来の循環式水洗トイレの全体概要を示す断面図である。
【符号の説明】
【００３０】
１        トイレハウス
２        循環式トイレユニット（水洗器具ユニット）
３        ロータンク
４        給水管
５        入水槽
６        揚水槽
７        分離槽
８        沈殿槽
９        送水槽
１０      給水管
２０      便器
２３      排水管
３０      汚水浄化部（汚水浄化手段）
３１      アッパーユニット（第一のユニット）
３２      天井フレーム（天井部材）
３３      床フレーム（床部材）
３４      柱部材
３５      壁フレーム（壁部材）
３６      ドアフレーム
３７      ドア部材
３８      内壁フレーム
３９      パネル材
４０      屋根板
４１      ロアーユニット（第二のユニット）
４２      土台部
１００    水洗トイレ
【図１】
2005248548.tif 000003
【図２】
2005248548.tif 000004
【図３】
2005248548.tif 000005
【図４】
2005248548.tif 000006
【図５】
2005248548.tif 000007
【図６】
2005248548.tif 000008
【図７】
2005248548.tif 000009
【図８】
2005248548.tif 000010
【図９】
2005248548.tif 000011
【図１０】
2005248548.tif 000012
【図１１】
2005248548.tif 000013
【図１２】
2005248548.tif 000014